(57)【要約】【課題】かつらの製造方法及びかつらにおいて、簡素な構成且つ簡単な作業で、かつらベースに植毛される毛髪を傾ける。【解決手段】かつらベース１０に毛髪２０を植毛する、かつらの製造方法であって、かつらベース１０の少なくとも一部は、かつら装着者の頭部側であるかつらベース１０の内側及びかつら装着者の頭部とは反対側であるかつらベース１０の外側に他のベース部が重ねられていない、毛髪２０が植毛されるベース部１０−１を有し、毛髪２０を、この毛髪２０の先端２０−１，２０−１がかつらベース１０の内側に位置するようにベース部１０−１に植毛し、かつらベース１０の内側に位置する毛髪２０の先端２０−１，２０−１を、ベース部１０−１を通してかつらベース１０の外側に引き抜く。【選択図】図３
2017061759.tif 000002
【特許請求の範囲】
【請求項１】
かつらベースに毛髪を植毛する、かつらの製造方法であって、
前記かつらベースは、かつら装着者の頭部側である前記かつらベースの内側及びかつら装着者の頭部とは反対側である前記かつらベースの外側に他のベース部が重ねられていない、前記毛髪が植毛されるベース部を有し、
前記毛髪を、該毛髪の先端が前記かつらベースの内側に位置するように前記ベース部に植毛し、
前記かつらベースの内側に位置する前記毛髪の前記先端を、前記毛髪の前記ベース部に対する植毛部分とは異なる位置から前記ベース部を通して前記かつらベースの外側に引き抜く、
ことを特徴とするかつらの製造方法。
【請求項２】
前記毛髪の前記先端を前記かつらベースの外側に引き抜く際に、前記毛髪の前記ベース部に対する植毛部分から前記かつらの髪型に対応する前記毛髪の毛流れ方向に離れた位置で、前記毛髪の前記先端を、前記ベース部を通して前記かつらベースの外側に引き抜くことを特徴とする請求項１記載のかつらの製造方法。
【請求項３】
前記ベース部は、網目状を呈し、
前記毛髪の前記先端を前記かつらベースの外側に引き抜く際に、前記ベース部のうち、前記かつらベースの外側に位置する外側部分の根元を寝かせる部位で、該根元を立たせる部位よりも、前記植毛部分からより離れた網目で、前記毛髪の前記先端を、前記ベース部を通して前記かつらベースの外側に引き抜くことを特徴とする請求項２記載のかつらの製造方法。
【請求項４】
かつらベースと、
前記かつらベースに植毛された複数の毛髪と、
を備えるかつらであって、
前記かつらベースは、かつら装着者の頭部側である前記かつらベースの内側及びかつら装着者の頭部とは反対側である前記かつらベースの外側に他のベース部が重ねられていない、前記毛髪が植毛されるベース部を有し、
前記複数の毛髪のうち少なくとも一部の毛髪は、前記ベース部に植毛された植毛部分と、該植毛部分に連続する部分であって前記かつらベースの内側に位置する内側部分と、該内側部分に連続する部分であって前記ベース部を貫通し前記植毛部分とは異なる位置にある貫通部分と、該貫通部分に連続する部分であって前記かつらベースの外側に位置する外側部分と、を有する、
ことを特徴とするかつら。
【請求項５】
前記貫通部分は、該貫通部分を有する前記毛髪の前記植毛部分から、前記かつらの髪型に対応する前記毛髪の毛流れ方向に離れて位置することを特徴とする請求項４記載のかつら。
【請求項６】
前記ベース部は、網目状を呈し、
前記貫通部分は、前記ベース部のうち、前記外側部分の根元が寝た状態となる部位で、該根元が立つ状態となる部位よりも、前記植毛部分からより離れた網目に位置することを特徴とする請求項５記載のかつら。
【発明の詳細な説明】
【技術分野】
【０００１】
本発明は、かつらベースに毛髪を植毛するかつらの製造方法、並びに、かつらベースと複数の毛髪とを備えるかつらに関する。
【背景技術】
【０００２】
従来、毛髪が植毛された内側のかつらベースと、この内側のかつらベースの上に重ねられた外側のかつらベースと、を備えるかつらが知られている。
このような内側と外側との２層のかつらベースを備えるかつらを製造するかつらの製造方法としては、内側のかつらベースに対して内側に向けて毛髪を植毛し、この植毛された毛髪を内側のかつらベースと外側のかつらベースとの間で傾かせるように、内側のかつらベース及び外側のかつらベースの両方を通して外側に引き抜くかつらの製造方法が知られている（例えば、特許文献１参照）。
【０００３】
なお、単一のかつらベースを備えるかつらとしては、かつらベースの外側に設けられた結び目をかつらベースの内側にスライドさせるかつらが知られている（例えば、特許文献２参照）。
【先行技術文献】
【特許文献】
【０００４】
【特許文献１】特開２００６−３３６１３３号公報
【特許文献２】特許第５０９３９０８号公報
【発明の概要】
【発明が解決しようとする課題】
【０００５】
内側と外側との２層のかつらベースを備える上述のかつらは、かつらベースが２重になるため、通気性が悪くなることでかつら装着者の頭皮が蒸れることがある。
また、内側のかつらベースに内側に向けて植毛された毛髪を、内側のかつらベースと外側のかつらベースとの間で傾かせるように、内側のかつらベース及び外側のかつらベースの両方を通して外側に引き抜く上述のかつらの製造方法は、２層のかつらベースの間に間隔がほとんどないため、２層のかつらベースの間で毛髪を傾かせる作業が極めて困難である。
【０００６】
なお、かつらベースの外側に設けられた結び目をかつらベースの内側にスライドさせる上述のかつらは、そもそもかつらベースから毛髪が引き抜かれるものではなく、また、毛髪を所望の角度に傾かせることはできない。
【０００７】
本発明の目的は、簡素な構成且つ簡単な作業で、かつらベースに植毛される毛髪を傾けることができる、かつらの製造方法及びかつらを提供することである。
【課題を解決するための手段】
【０００８】
１つの観点では、かつらの製造方法は、かつらベースに毛髪を植毛する、かつらの製造方法であって、前記かつらベースの少なくとも一部は、かつら装着者の頭部側である前記かつらベースの内側及びかつら装着者の頭部とは反対側である前記かつらベースの外側に他のベース部が重ねられていない、前記毛髪が植毛されるベース部を有し、前記毛髪を、該毛髪の先端が前記かつらベースの内側に位置するように前記ベース部に植毛し、前記かつらベースの内側に位置する前記毛髪の前記先端を、前記毛髪の前記ベース部に対する植毛部分とは異なる位置から前記ベース部を通して前記かつらベースの外側に引き抜く。
【０００９】
また、前記かつらの製造方法において、前記毛髪の前記先端を前記かつらベースの外側に引き抜く際に、前記毛髪の前記ベース部に対する植毛部分から前記かつらの髪型に対応する前記毛髪の毛流れ方向に離れた位置で、前記毛髪の前記先端を、前記ベース部を通して前記かつらベースの外側に引き抜くとよい。
【００１０】
また、前記かつらの製造方法において、前記ベース部は、網目状を呈し、前記毛髪の前記先端を前記かつらベースの外側に引き抜く際に、前記ベース部のうち、前記かつらベースの外側に位置する外側部分の根元を寝かせる部位で、該根元を立たせる部位よりも、前記植毛部分からより離れた網目で、前記毛髪の前記先端を、前記ベース部を通して前記かつらベースの外側に引き抜くとよい。
【００１１】
他の観点では、かつらは、かつらベースと、前記かつらベースに植毛された複数の毛髪と、を備えるかつらであって、前記かつらベースの少なくとも一部は、かつら装着者の頭部側である前記かつらベースの内側及びかつら装着者の頭部とは反対側である前記かつらベースの外側に他のベース部が重ねられていない、前記毛髪が植毛されるベース部を有し、前記複数の毛髪のうち少なくとも一部の毛髪は、前記ベース部に植毛された植毛部分と、該植毛部分に連続する部分であって前記かつらベースの内側に位置する内側部分と、該内側部分に連続する部分であって前記ベース部を貫通し前記植毛部分とは異なる位置にある貫通部分と、該貫通部分に連続する部分であって前記かつらベースの外側に位置する外側部分と、を有する。
【００１２】
また、前記かつらにおいて、前記貫通部分は、該貫通部分を有する前記毛髪の前記植毛部分から、前記かつらの髪型に対応する前記毛髪の毛流れ方向に離れて位置するとよい。
また、前記かつらにおいて、前記ベース部は、網目状を呈し、前記貫通部分は、前記ベース部のうち、前記外側部分の根元が寝た状態となる部位で、該根元が立つ状態となる部位よりも、前記植毛部分からより離れた網目に位置するとよい。
【発明の効果】
【００１３】
本発明によれば、簡素な構成且つ簡単な作業で、かつらベースに植毛される毛髪を傾けることができる。
【図面の簡単な説明】
【００１４】
【図１】本発明の一実施の形態に係るかつらを示す平面図である。
【図２Ａ】本発明の一実施の形態に係る、かつらの製造方法を説明するための断面図（その１）である。
【図２Ｂ】本発明の一実施の形態に係る、かつらの製造方法を説明するための断面図（その２）である。
【図３】本発明の一実施の形態における、引き抜き位置の異なる２本の毛髪を説明するための断面図である。
【発明を実施するための形態】
【００１５】
以下、本発明の一実施の形態に係るかつらの製造方法及びかつらについて、図面を参照しながら説明する。
図１は、本発明の一実施の形態に係るかつら１を示す平面図である。
【００１６】
図１に示すかつら１は、かつらベース１０と、このかつらベース１０に植毛された複数の毛髪２０と、を備える。かつら１は、図１に示すようにかつら装着者の頭部のほぼ全体に配置されるかつら１であってもよいし、かつら装着者の頭部の全体又は一部に配置される全頭かつら又は部分かつらであってもよい。
【００１７】
かつらベース１０は、本体部１１と、周縁部１２と、分け目部１３と、を有する。かつらベース本体部１１には、毛髪２０が植毛されている。毛髪２０は、例えば人工毛髪であるが、加工人毛などの人工毛髪以外の毛髪であってもよい。なお、図１において、毛髪２０は、本体部１１、周縁部１２、及び分け目部１３のそれぞれに１本又は２本のみ図示するが、実際には、例えば密集するようにかつらベース１０に植毛される。
【００１８】
周縁部１２は、本体部１１とは異なる部材から形成されているか、或いは、本体部１１を折り返すことで形成されている。
分け目部１３は、例えば、合成樹脂からなる人工皮膚により形成されている。また、分け目部１３は、本体部１１を刳り貫いた部分に配置されているか、或いは、本体部１１上に重なるように配置されている。
【００１９】
なお、本実施の形態では、本体部１１、周縁部１２、及び分け目部１３が設けられたかつらベース１０を一例として説明しているが、かつらベース１０は、本体部１１のみからなるかつらベースや、その他のかつらベースであってもよい。
【００２０】
図２Ａ及び図２Ｂは、本実施の形態に係る、かつらの製造方法を説明するための断面図である。
図２Ａ及び図２Ｂに示すベース部１０−１は、本体部１１、周縁部１２、分け目部１３などのどの部分であってもよいが、内側（図２Ａ及び図２Ｂにおける下側）及び外側（図２Ａ及び図２Ｂにおける上側）に、他のベース部（毛髪２０が植毛されないベース部）が重ねられていない部分である。この部分をベース部１０−１と呼ぶ。このベース部１０−１は、一括して毛髪２０が植毛される場合には複数層からなるものであってもよい。
【００２１】
まず、図２Ａに示すように、毛髪２０は、この毛髪２０の先端２０−１，２０−１がかつらベース１０の内側に位置するようにベース部１０−１に植毛される。これにより、ベース部１０−１には、植毛部分２０ａが形成される。この植毛部分２０ａは、例えば、結び目、接着部分などであるが、毛髪２０を固定し得るものであれば、特に制限されない。
【００２２】
なお、本実施の形態では、１本の毛髪２０が長さ方向の中心でベース部１０−１に植毛される例を説明するため、１つの植毛部分２０ａに対して２本の毛髪が延びるように図に示すが、１本の毛髪２０が例えば長さ方向の一端でベース部１０−１に結び付けられてもよい。
【００２３】
次に、図２Ｂに示すように、かつらベース１０の内側に位置する毛髪２０の先端２０−１，２０−１は、植毛部分２０ａとは異なる位置からベース部１０−１を通してかつらベース１０の外側に引き抜かれる。このように先端２０−１，２０−１をかつらベース１０の外側に引き抜く際には、かぎ針等を用いて、植毛部分２０ａと先端２０−１，２０−１との間で毛髪２０を引っ掛けて引き抜くとよい。
【００２４】
ベース部１０−１が網目状を呈する場合、毛髪２０は、いずれかの網目１０ａにおいて、ベース部１０−１を貫通することになるが、図２Ｂの例では、植毛部分２０ａが位置する網目１０ａに隣接する網目１０ａにおいてベース部１０−１を貫通する。
【００２５】
毛髪２０がベース部１０−１を貫通する貫通部分２０ｃ，２０ｃは、植毛部分２０ａから、図１に示すかつら１の髪型に対応する毛髪２０の毛流れ方向に離れた位置にあることが望ましい。この毛流れ方向は、例えば、かつら１（かつらベース１０）の正面視右側に植毛される毛髪２０であれば、右側方向となることが多い。
【００２６】
なお、植毛部分２０ａは、毛髪２０が１本の縦糸又は１本の横糸の一方のみに結び付けられる場合には２つの網目１０ａの間に形成され、毛髪２０ａが１本の縦糸と１本の横糸との交差部分に結び付けられる場合には４つの網目１０ａの間に形成される。そのため、毛髪２０は、これら２つ又は４つの網目１０ａに対して隣接する網目１０ａにおいてかつらベース１０を貫通するといえる。もちろん、上記の２つ又は４つの網目１０ａとは隣接しない網目１０ａにおいて毛髪２０がベース部１０−１を貫通してもよい。また、上述のように、植毛部分２０ａがベース部１０−１のうち、１本の縦糸又は１本の横糸の一方のみ、或いは、１本の縦糸と１本の横糸との交差部分に形成される場合、植毛部分２０ａをかつらベース１０の外側から視認しにくくすることができる。
【００２７】
上述のようにかつらベース１０に植毛された毛髪２０は、ベース部１０−１に植毛された植毛部分２０ａと、この植毛部分２０ａに連続する部分であってかつらベース１０の内側に位置する内側部分２０ｂ，２０ｂと、この内側部分２０ｂ，２０ｂに連続する部分であってベース部１０−１を貫通し植毛部分２０ａとは異なる位置にある貫通部分２０ｃ，２０ｃと、この貫通部分２０ｃ，２０ｃに連続する部分であってかつらベース１０の外側に位置する外側部分２０ｄ，２０ｄと、を有する。なお、毛髪２０の先端２０−１，２０−１は、外側部分２０ｄ，２０ｄに位置する。
【００２８】
図３は、本実施の形態における、引き抜き位置の異なる２本の毛髪２０，２０を説明するための断面図である。
図３に示す２本の毛髪２０，２０では、図３の左側の毛髪２０の植毛部分２０ａと貫通部分２０ｃ，２０ｃとの間隔Ｌ１よりも、図３の右側の毛髪２０の植毛部分２０ａと貫通部分２０ｃ，２０ｃとの間隔Ｌ２が長い。そのため、図３の右側の毛髪２０の内側部分２０ｂ，２０ｂは、図３の左側の毛髪２０の内側部分２０ｂ，２０ｂよりも横方向（ベース部１０と平行な方向）に延びる距離が長くなるため、外側部分２０ｄ，２０ｄの特に根元（貫通部分２０ｃ，２０ｃ側の端部）が寝た状態となりやすい。ベース部１０−１の網目１０ａが大きいほど、貫通部分２０ｃ，２０ｃがベース部１０−１と干渉しなくなり、外側部分２０ｄ，２０ｄの根元の傾きが内側部分２０ｂ，２０ｂの傾きに近くなる。
【００２９】
そのため、かつらベース１０（ベース部１０−１）の側頭部や後頭部の周縁などの外側部分２０ｄ，２０ｄの根元が寝た状態となる部位では、毛髪２０は、植毛部分２０ａと貫通部分２０ｃ，２０ｃとの間隔が長くなるようにベース部１０−１に植毛されるとよい。
【００３０】
一方、かつらベース１０（ベース部１０−１）の分け目部１３、つむじ部、毛髪２０を立てる場合の生え際部などの外側部分２０ｄ，２０ｄの根元が立つ状態となる部位では、毛髪２０は、植毛部分２０ａと貫通部分２０ｃ，２０ｃとの間隔が短くなるようにベース部１０−１に植毛されるとよい。
【００３１】
このように、貫通部分２０ｃ，２０ｃは、ベース部１０−１のうち、外側部分２０ｄ，２０ｄの根元が寝た状態となる部位（側頭部や後頭部の周縁など）で、この根元が立つ状態となる部位（分け目部１３、つむじ部、毛髪２０を立てる場合の生え際部など）よりも、植毛部分２０ａからより離れた網目１０ａに位置することが望ましい。
【００３２】
なお、本実施の形態では、ベース部１０−１が網目状を呈する例について説明したが、ベース部１０−１としては、人工皮膚などの網目を有さないものであってもよい。
以上説明した本実施の形態に係るかつらの製造方法は、かつらベース１０に毛髪２０を植毛する、かつらの製造方法であって、かつらベース１０の少なくとも一部は、かつら装着者の頭部側であるかつらベース１０の内側及びかつら装着者の頭部とは反対側であるかつらベース１０の外側に他のベース部が重ねられていない、毛髪２０が植毛されるベース部１０−１を有し、毛髪２０を、この毛髪２０の先端２０−１，２０−１がかつらベース１０の内側に位置するようにベース部１０−１に植毛し、かつらベース１０の内側に位置する毛髪２０の先端２０−１，２０−１を、毛髪２０のベース部１０−１に対する植毛部分２０ａとは異なる位置からベース部１０−１を通してかつらベース１０の外側に引き抜く。
【００３３】
また、他の観点では、本実施の形態に係るかつら１は、かつらベース１０と、このかつらベース１０に植毛された複数の毛髪２０と、を備えるかつら１であって、かつらベース１０の少なくとも一部は、かつら装着者の頭部側であるかつらベース１０の内側及びかつら装着者の頭部とは反対側であるかつらベース１０の外側に他のベース部が重ねられていない、毛髪２０が植毛されるベース部１０−１を有し、複数の毛髪２０のうち少なくとも一部の毛髪２０は、ベース部１０−１に植毛された植毛部分２０ａと、この植毛部分２０ａに連続する部分であってかつらベース１０の内側に位置する内側部分２０ｂ，２０ｂと、この内側部分２０ｂ，２０ｂに連続する部分であってベース部１０−１を貫通し植毛部分２０ａとは異なる位置にある貫通部分２０ｃ，２０ｃと、この貫通部分２０ｃ，２０ｃに連続する部分であってかつらベース１０の外側に位置する外側部分２０ｄ，２０ｄと、を有する。
【００３４】
そのため、毛髪が植毛される内側のかつらベースの上に外側のかつらベースが重ねられる従来のかつらと比較して、毛髪２０が植毛されるベース部１０−１の内側及び外側に、毛髪２０が植毛されないベース部が重ねられないため、かつらベース１０の構成を簡素にし、ひいてはかつら１の構成を簡素にすることができる。これにより、通気性が悪くなることでかつら装着者の頭皮が蒸れることを防ぐこともできる。
【００３５】
また、内側のかつらベースと外側のかつらベースとの間で毛髪が傾く従来のかつらでは、内側のかつらベースと外側のかつらベースとの間に間隔がほとんどないため、毛髪を傾かせる作業が極めて困難であったが、本実施の形態では、植毛部分２０ａと貫通部分２０ｃ，２０ｃとの間隔によって毛髪２０の傾きを調整することができるため、毛髪２０を傾かせる作業が簡単になる。
【００３６】
よって、本実施の形態に係る、かつらの製造方法及びかつら１によれば、簡素な構成且つ簡単な作業で、かつらベース１０に植毛される毛髪２０を傾けることができる。
また、本実施の形態に係るかつらの製造方法では、毛髪２０の先端２０−１，２０−１をかつらベース１０の外側に引き抜く際に、毛髪２０のベース部１０−１に対する植毛部分２０ａからかつら１の髪型に対応する毛髪２０の毛流れ方向に離れた位置で、毛髪２０の先端２０−１，２０−１を、ベース部１０−１を通してかつらベース１０の外側に引き抜く。
【００３７】
また、他の観点では、本実施の形態に係るかつら１では、貫通部分２０ｃ，２０ｃは、この貫通部分２０ｃ，２０ｃを有する毛髪２０の植毛部分２０ａから、かつら１の髪型に対応する毛髪２０の毛流れ方向に離れて位置する。
【００３８】
そのため、かつら１の髪型に合わせた方向に毛髪２０を簡単に傾けることができる。
また、本実施の形態に係るかつらの製造方法では、ベース部１０−１は、網目状を呈し、毛髪２０の先端２０−１をかつらベース１０の外側に引き抜く際に、ベース部１０−１のうち、かつらベース１０の外側に位置する外側部分２０ｄ，２０ｄの根元を寝かせる部位で、この根元を立たせる部位よりも、植毛部分２０ａからより離れた網目１０ａで、毛髪２０の先端２０−１を、ベース部１０−１を通してかつらベース１０の外側に引き抜く。
【００３９】
また、他の観点では、本実施の形態に係るかつら１では、ベース部１０−１は、網目状を呈し、貫通部分２０ｃ，２０ｃは、ベース部１０−１のうち、外側部分２０ｄ，２０ｄの根元が寝た状態となる部位で、この根元が立つ状態となる部位よりも、植毛部分２０ａからより離れた網目１０ａに位置する。
【００４０】
そのため、かつら１の髪型に対応する毛髪２０の毛流れ方向における植毛部分２０ａと貫通部分２０ｃ，２０ｃとの間隔Ｌ１，Ｌ２を変化させることで、毛髪２０の傾きを、かつら１の髪型に合わせて調整することができる。したがって、簡単に、かつら１の外観を自然にすることができる。
【符号の説明】
【００４１】
１      かつら
１０      かつらベース
１０−１      ベース部
１１      本体部
１２      周縁部
１３      分け目部
２０      毛髪
２０−１      先端
２０ａ      植毛部分
２０ｂ      内側部分
２０ｃ      貫通部分
２０ｄ      外側部分
【図１】
2017061759.tif 000003
【図２Ａ】
2017061759.tif 000004
【図２Ｂ】
2017061759.tif 000005
【図３】
2017061759.tif 000006